(57)【要約】【課題】本考案は、水分子のクラスタを効果的に細分化し、かつ再結合を防ぐことができる水改質装置を使用した飲料水を提供すること。【解決手段】本体１に嵌合された電磁石１１〜１４には、パルス電圧が印加される。これにより、電磁石１１〜１４は、断続する磁場を発生して水供給管用空洞部１０を貫通する水供給管内の水が形成しているクラスタ構造を分解し、クラスタを細分化する。またこの水改質装置を前記水供給管に、所定の間隔を隔てて複数個配置する事により、一旦細分化された水分子の再結合を防止した水が生成できる。【選択図】図１
0003228424.tif 000002
【実用新案登録請求の範囲】
【請求項１】
貯水タンク内に貯蔵され、製造のための水供給管を介して供給される水を改質する水改質装置であって
前記水に対して磁場を作用させる磁場発生装置と、
前記磁気発生装置に電圧を供給する電圧発生回路と、
前記電圧発生回路を制御する制御手段を備えることを特徴とする水改質装置で作られた水。
【請求項２】
前記磁場発生装置は水供給管経路の途中に設置されるものであり中心部に前記水供給管を貫通させる為の空洞部を有する円盤状の本体と、前記本体に設けられた少なくとも１個の電磁石とを具備していることを特徴とする請求項１に記載の水改質装置で作られた水。
【請求項３】
前記電圧発生回路は前記磁場発生装置にパルス電圧を供給することを特徴とする請求項１に記載の水改質装置で作られた水。
【請求項４】
前記磁場発生装置は水供給管の途中に所定の間隔を隔てて複数個設置されていることを特徴とする請求項１から３のいずれか一項に記載の水改質装置で作られた水。
【請求項５】
前記本体に嵌合された電磁石は複数個あり、その電磁石は電気的に全て直列接続または全て並列接続されたものであることを特徴とする請求項３または４に記載の水改質装置で作られた水。
【請求項６】
磁場発生装置が一つの電磁石に磁場を印加する状態である間は他の電磁石には印加しない状態にあるように制御手段が電圧発生回路を制御することを特徴とする請求項４または５に記載の水改質装置で作られた水。
【考案の詳細な説明】
【技術分野】
【０００１】  本考案はミネラルウォーターをはじめ清涼飲料等製造に係る過程において使用する水の特性を磁力を利用し変化させる水改質装置で作られた水に関する。
【背景技術】
【０００２】  従来の飲料水は地下、海、河川等の水をろ過、殺菌を行い使用している、飲料水製造においては採水地により硬度・Ｐｈ等それぞれ特徴はあるが飲料水という一つのカテゴリーになっている。
【考案の概要】
【考案が解決しようとする課題】
【０００３】  本考案の課題は水それぞれの特徴に関係なく水改質装置を通過させることにより更に良質な水を提供するにある。
【課題を解決するための手段】
【０００４】  上記課題を解決するために、本考案に係る水改質装置は貯水タンク内に貯蔵され、製造のための水供給管を介して供給される水を改質する水改質装置であって、前記水に対して磁場を作用させる磁場発生装置と磁場発生装置に電圧を供給する電圧回路と電圧回路を制御する制御手段とを備え、前記制御手段は前記磁場発生装置が前記水に対して磁場を印加する状態と磁場を印加しない状態とを反復するよう前記電圧回路を制御することを特徴とし、このような構成により特に水分子のクラスタを細分化することができる水改質装置を実現している。
【考案の効果】
【０００５】  本水改質装置は前記複数個の磁場発生装置が、各円盤状の本体に設けられた電磁石の位置が隣接する円盤状の本体間で、円盤状の本体の中心軸のまわりの回転方向に相互にずれていることを特徴とし、このような構成により、特に磁気による水のクラスタ構造の分解能力を高めてクラスタを一層細かく細分化し得る水改質装置を実現している。
【図面の簡単な説明】
【０００６】
【図１】本考案の係る水改質装置の磁場発生装置の電磁石の構成を示す構成図である。
【図２】本考案の係る水改質装置の磁場発生装置の各円盤の配置を示す構成図である。
【図３】本考案の係る水改質装置の磁場発生装置のパルス電圧発生装置回路の構成を示す図である。
【考案を実施するための形態】
【０００７】  本考案の水改質装置の実施の形態について図面を参照して説明する。
【実施例】
【０００８】  図１において、本実施形態の水改質装置の磁場発生装置は４個の電磁石を固定する円盤状本体１（基板）と円盤状本体１の中央部に設けられた水供給管用空洞部１０と円盤状本体１に固定された電磁石１１〜１４とを備えて構成される。【０００９】  電磁石１１〜１４は隣接する電磁石同士が円盤状本体１の中心部に関して９０度の角度をなすように配置されている。【００１０】  電磁石１１〜１４は鉄芯入りの電磁石である、電磁石１１〜１４本実施の形態では、これらの電磁石を同時に励磁するために、電気的には全て直列接続されているものであるが、本考案では一般に全てを並列接続することを含めた任意の電気的接続が可能であり、また電磁石同士を電気的に接続せずに個別に励磁することもできる。【００１１】  電磁石１１〜１４の磁極の配置は、図１で電流を流した際にＮ極側が、全て水供給管空洞部１０の方向に対向して配置されているが、一般に本考案では、電磁石１１〜１４の磁極の配置は任意とすることができる。但しいずれの場合であってもＮ極の中央とＳ極の中央とを結ぶ線分は、本体１の円盤の中心を通る直線に沿うものとすることが好ましい。【００１２】  また、本実施形態にあっては、電磁石を４っとしているが、１っ以上であればよく、任意の個数とすることができる。複数とした場合には形成される磁場が均一に水供給管の水に作用するように、等角度で配置されることが好ましい。【００１３】  また、本体１は水供給管を水供給管空洞部１０に通すために、２個の半円盤に分離することができて、さらに水供給管を水供給管空洞部１０に通した後では、上記の分離された半円盤を電気的一体性を確保するためのピンコネクタ等により相互に嵌合して、再び元の円盤状にできる構造となっている。【００１４】  水供給管空洞部１０の直径は、水供給管の径に対応している。【００１５】  電磁石１１〜１４の磁力の強さは、水の流量、配管径により最適値を選択して設定することができる。【００１６】  図２において、３つの磁場発生装置Ｘ・Ｙ・Ｚが水流路に沿って一定の間隔で配置されている。磁場発生装置Ｘ・Ｙ・Ｚの構成は図１に示す磁場発生装置とおなじである。【００１７】  また、本実態系にあっては、配置間隔を一定としているが、各磁場発生装置間の距離を異なったものとすることもできる。【００１８】  図３は、本考案に係る実態形態の水処理装置のパルス電圧発生回路を含む構成を示す構成図である。【００１９】  図３において、本実施の形態に係る水処理装置のパルス電圧発生回路は、直流電源供給部３１とＣＲ発振器３２とシフトレジスタ３３と電流増幅回路３４とを具備して構成される。【００２０】  なお、符号３５〜３７は磁場発性装置（図２に示す磁場発生装置Ｘ〜Ｚの回路要素）を示す。【００２１】  以上のように、実施形態によれば水供給管を流れる水が、水分子のクラスタ構造を有している場合にも、この水を前述の磁場発生装置Ｘ，Ｙ，Ｚを通過させることにより、水供給管を通過する水分子のクラスタ構造を、パルス状に断続する磁気の作用により一層細分化する事ができると共に、水分子の再結合による再クラスタ化を防止することができる効果がある。
また、水改質装置を通過した水は電気導電率が上昇し、水の粘性（表面張力）が低下する。
【産業上の利用可能性】
【００２２】  本考案は、採水地の水特性に係らず目的の飲料水を製造することができ、良質な水が提供できる。
【符号の説明】
【００２３】  １          本体（基板）
１１〜１４  電磁石
３１        直流電流供給部
３２        ＣＲ発振器
３３        シフトレジスタ
３４        電流増幅回路
３５〜３７  磁場発生装置
【図１】
0003228424.tif 000003
【図２】
0003228424.tif 000004
【図３】
0003228424.tif 000005
【手続補正書】
【提出日】令和1年7月16日(2019.7.16)
【手続補正１】
【補正対象書類名】実用新案登録請求の範囲
【補正対象項目名】全文
【補正方法】変更
【補正の内容】
【実用新案登録請求の範囲】
【請求項１】
貯水タンク内に貯蔵され、製造のための水供給管を介して供給される水を改質する水改質装置であって
前記水に対して磁場を作用させる磁場発生装置と、
前記磁場発生装置に電圧を供給する電圧発生回路と、
前記電圧発生回路を制御する制御手段を備えることを特徴とする水改質装置です。
【請求項２】
前記磁場発生装置は水供給管経路の途中に設置されるものであり中心部に前記水供給管を貫通させる為の空洞部を有する円盤状の本体と、前記本体に設けられた少なくとも１個の電磁石とを具備していることを特徴とする請求項１に記載の水改質装置です。
【請求項３】
前記電圧発生回路は前記磁場発生装置にパルス電圧を供給することを特徴とする請求項１に記載の水改質装置です。
【請求項４】
前記磁場発生装置は水供給管の途中に所定の間隔を隔てて複数個設置されていることを特徴とする請求項１から３のいずれか一項に記載の水改質装置です。
【請求項５】
前記本体に嵌合された電磁石は複数個あり、その電磁石は電気的に全て直列接続または全て並列接続されたものであることを特徴とする請求項２または３または４に記載の水改質装置です。
【請求項６】
磁場発生装置が一つの電磁石に磁場を印加する状態である間は他の電磁石には印加しない状態にあるように制御手段が電圧発生回路を制御することを特徴とする請求項４または５に記載の水改質装置です。
【手続補正書】
【提出日】令和1年9月24日(2019.9.24)
【手続補正１】
【補正対象書類名】実用新案登録請求の範囲
【補正対象項目名】全文
【補正方法】変更
【補正の内容】
【実用新案登録請求の範囲】
【請求項１】
貯水タンク内に貯蔵され、製造のための水供給管を介して供給される水を改質する水改質装置であって
前記水に対して磁場を作用させる磁場発生装置と、
前記磁場発生装置に電圧を供給する電圧発生回路と、
前記電圧発生回路を制御する制御手段を備えることを特徴とする水改質装置。
【請求項２】
前記磁場発生装置は水供給管経路の途中に設置されるものであり中心部に前記水供給管を貫通させる為の空洞部を有する円盤状の本体と、前記本体に設けられた少なくとも１個の電磁石とを具備していることを特徴とする請求項１に記載の水改質装置。
【請求項３】
前記電圧発生回路は前記磁場発生装置にパルス電圧を供給することを特徴とする請求項１または２に記載の水改質装置。
【請求項４】
前記磁場発生装置は水供給管の途中に所定の間隔を隔てて複数個設置されていることを特徴とする請求項１または２または３のいずれか一項に記載の水改質装置。
。
【請求項５】
前記本体に嵌合された電磁石は複数個あり、その電磁石は電気的に全て直列接続または全て並列接続されたものであることを特徴とする請求項２または３または４に記載の水改質装置。
【請求項６】
磁場発生装置が一つの電磁石に磁場を印加する状態である間は他の電磁石には印加しない状態にあるように制御手段が電圧発生回路を制御することを特徴とする請求項４または５に記載の水改質装置。
【手続補正２】
【補正対象書類名】明細書
【補正対象項目名】全文
【補正方法】変更
【補正の内容】
【考案の詳細な説明】
【技術分野】
【０００１】  本考案はミネラルウォーターをはじめ清涼飲料等製造に係る過程において使用する水の特性を磁力を利用し変化させる水改質装置で作られた水に関する。
【背景技術】
【０００２】  従来の飲料水は地下、海、河川等の水をろ過、殺菌を行い使用している、飲料水製造においては採水地により硬度・Ｐｈ等それぞれ特徴はあるが飲料水という一つのカテゴリーになっている。
【考案の概要】
【考案が解決しようとする課題】
【０００３】  本考案の課題は水それぞれの特徴に関係なく水改質装置を通過させることにより更に良質な水を提供するにある。
【課題を解決するための手段】
【０００４】  上記課題を解決するために、本考案に係る水改質装置は貯水タンク内に貯蔵され、製造のための水供給管を介して供給される水を改質する水改質装置であって、前記水に対して磁場を作用させる磁場発生装置と磁場発生装置に電圧を供給する電圧回路と電圧回路を制御する制御手段とを備え、前記制御手段は前記磁場発生装置が前記水に対して磁場を印加する状態と磁場を印加しない状態とを反復するよう前記電圧回路を制御することを特徴とし、このような構成により特に水分子のクラスタを細分化することができる水改質装置を実現している。
【考案の効果】
【０００５】  本水改質装置は前記複数個の磁場発生装置が、各円盤状の本体に設けられた電磁石の位置が隣接する円盤状の本体間で、円盤状の本体の中心軸のまわりの回転方向に相互にずれていることを特徴とし、このような構成により、特に磁気による水のクラスタ構造の分解能力を高めてクラスタを一層細かく細分化し得る水改質装置を実現している。
【図面の簡単な説明】
【０００６】
【図１】本考案の係る水改質装置の磁場発生装置の電磁石の構成を示す構成図である。
【図２】本考案の係る水改質装置の磁場発生装置の各円盤の配置を示す構成図である。
【図３】本考案の係る水改質装置の磁場発生装置のパルス電圧発生装置回路の構成を示す図である。
【考案を実施するための形態】
【０００７】  本考案の水改質装置の実施の形態について図面を参照して説明する。
【実施例】
【０００８】  図１において、本実施形態の水改質装置の磁場発生装置は４個の電磁石を固定する円盤状本体１（基板）と円盤状本体１の中央部に設けられた水供給管用空洞部１０と円盤状本体１に固定された電磁石１１〜１４とを備えて構成される。【０００９】  電磁石１１〜１４は隣接する電磁石同士が円盤状本体１の中心部に関して９０度の角度をなすように配置されている。【００１０】  電磁石１１〜１４は鉄芯入りの電磁石である、電磁石１１〜１４本実施の形態では、これらの電磁石を同時に励磁するために、電気的には全て直列接続されているものであるが、本考案では一般に全てを並列接続することを含めた任意の電気的接続が可能であり、また電磁石同士を電気的に接続せずに個別に励磁することもできる。【００１１】  電磁石１１〜１４の磁極の配置は、図１で電流を流した際にＮ極側が、全て水供給管空洞部１０の方向に対向して配置されているが、一般に本考案では、電磁石１１〜１４の磁極の配置は任意とすることができる。但しいずれの場合であってもＮ極の中央とＳ極の中央とを結ぶ線分は、本体１の円盤の中心を通る直線に沿うものとすることが好ましい。【００１２】  また、本実施形態にあっては、電磁石を４っとしているが、１っ以上であればよく、任意の個数とすることができる。複数とした場合には形成される磁場が均一に水供給管の水に作用するように、等角度で配置されることが好ましい。【００１３】  また、本体１は水供給管を水供給管空洞部１０に通すために、２個の半円盤に分離することができて、さらに水供給管を水供給管空洞部１０に通した後では、上記の分離された半円盤を電気的一体性を確保するためのピンコネクタ等により相互に嵌合して、再び元の円盤状にできる構造となっている。【００１４】  水供給管空洞部１０の直径は、水供給管の径に対応している。【００１５】  電磁石１１〜１４の磁力の強さは、水の流量、配管径により最適値を選択して設定することができる。【００１６】  図２において、３つの磁場発生装置Ｘ・Ｙ・Ｚが水流路に沿って一定の間隔で配置されている。磁場発生装置Ｘ・Ｙ・Ｚの構成は図１に示す磁場発生装置とおなじである。【００１７】  また、本実態系にあっては、配置間隔を一定としているが、各磁場発生装置間の距離を異なったものとすることもできる。【００１８】  図３は、本考案に係る実態形態の水処理装置のパルス電圧発生回路を含む構成を示す構成図である。【００１９】  図３において、本実施の形態に係る水処理装置のパルス電圧発生回路は、直流電源供給部３１とＣＲ発振器３２とシフトレジスタ３３と電流増幅回路３４とを具備して構成される。【００２０】  なお、符号３５〜３７は磁場発性装置（図２に示す磁場発生装置Ｘ〜Ｚの回路要素）を示す。【００２１】  以上のように、実施形態によれば水供給管を流れる水が、水分子のクラスタ構造を有している場合にも、この水を前述の磁場発生装置Ｘ，Ｙ，Ｚを通過させることにより、水供給管を通過する水分子のクラスタ構造を、パルス状に断続する磁気の作用により一層細分化する事ができると共に、水分子の再結合による再クラスタ化を防止することができる効果がある。
また、水改質装置を通過した水は電気導電率が上昇し、水の粘性（表面張力）が低下する。
【産業上の利用可能性】
【００２２】  本考案は、採水地の水特性に係らず目的の飲料水を製造することができ、良質な水が提供できる。
【符号の説明】
【００２３】１          本体（基板）
１１〜１４  電磁石
３１        直流電流供給部
３２        ＣＲ発振器
３３        シフトレジスタ
３４        電流増幅回路
３５〜３７  磁場発生装置
【手続補正３】
【補正対象書類名】図面
【補正対象項目名】全図
【補正方法】変更
【補正の内容】
【図１】
0003228424.tif 000006
【図２】
0003228424.tif 000007
【図３】
0003228424.tif 000008
【手続補正書】
【提出日】令和2年7月9日(2020.7.9)
【手続補正１】
【補正対象書類名】実用新案登録請求の範囲
【補正対象項目名】全文
【補正方法】変更
【補正の内容】
【実用新案登録請求の範囲】
【請求項１】
貯水タンク内に貯蔵され、製造のための水供給管を介して供給される水を改質する水改質装置であって
前記水に対して磁場を作用させる磁場発生装置と、
前記磁場発生装置に電圧を供給する電圧発生回路と、
前記電圧発生回路を制御する制御手段を備えることを特徴とする水改質装置。
【請求項２】
前記磁場発生装置は水供給管経路の途中に設置されるものであり中心部に前記水供給管を貫通させる為の空洞部を有する円盤状の本体と、前記本体に設けられた少なくとも１個の電磁石とを具備していることを特徴とする請求項１に記載の水改質装置。
【請求項３】
前記電圧発生回路は前記磁場発生装置にパルス電圧を供給することを特徴とする請求項１または請求項２に記載の水改質装置。
【請求項４】
前記磁場発生装置は水供給管の途中に所定の間隔を隔てて複数個設置されていることを特徴とする請求項１または請求項２または請求項３のいずれか一項に記載の水改質装置。
。
【請求項５】
前記本体に嵌合された電磁石は複数個あり、その電磁石は電気的に全て直列接続または全て並列接続されたものであることを特徴とする請求項１または請求項２または請求項３または請求項４に記載の水改質装置。
【請求項６】
磁場発生装置が一つの電磁石に磁場を印加する状態である間は他の電磁石には印加しない状態にあるように制御手段が電圧発生回路を制御することを特徴とする請求項１または請求項２または請求項３または請求項４または請求項５に記載の水改質装置。